(57)【要約】【課題】街路等に存在する様々な情報提示装置から、単純な操作方法で、複数人でも、迫力のある情報提供形態で閲覧でき、商品販売店舗で展示されていない商品を仮想的に閲覧でき、詳細な商品比較を可能とし、パソコン販売店ではコストをかけずに情報提供することを目的とする。【解決手段】設置型の情報提示装置の画面上に、選択用画像を提示し、これをＰＤＡの画像認識部を用いて認識することで、ユーザ任意の操作を可能とし、選択結果をＰＤＡもしくは情報提示装置に提示及び蓄積させる。【選択図】図１
2004259241.tif 000002
【特許請求の範囲】
【請求項１】
サーバ機能に相当する部分（２００）と一体的に接続されたまたは電気通信接続された情報提示装置（１００）と、前記サーバ機能に相当する部分（２００）にネットワーク（３００）を介して電気通信接続された少なくとも１個のＰＤＡ（４００）とからなる情報提示装置であって、前記サーバ機能に相当する部分（２００）には階層化された１以上の情報が蓄積され、かつ、前記情報提示装置（１００）の表示部には前記階層化された情報に対応する階層式の表示部を複数有し、前記ＰＤＡ（４００）の画像認識部を前記情報提示装置（１００）の階層式の表示部の何れかに向けて画像認識させることにより、前記サーバ機能に相当する部分（２００）から、前記画像認識の結果に対応する情報を前記ＰＤＡ（２００）および前記情報提示装置（１００）に表示させ、前記階層式の表示部の画像認識を繰返すことにより逐次下位層の情報を取得することを特徴とする情報提示装置。
【請求項２】
前記ＰＤＡ（４００）の複数個から前記情報提示装置（１００）の階層式の表示部の何れかに向けて同時間帯に画像認識させたときには、前記サーバ機能に相当する部分（２００）が、前記情報提示装置（１００）の表示部に向けられている前記ＰＤＡ（４００）の総数を検出し、前記情報提示装置（１００）の前記表示部を前記ＰＤＡ（４００）の数だけ分割表示することを特徴とする請求項１に記載の情報提供装置。
【請求項３】
前記情報提示装置（１００）が、店舗に展示されているパソコンのディスプレイであることを特徴とする請求項１または２記載の情報提供装置。
【請求項４】
商品を販売する店舗、及び商品を展示する場において、前記情報提示装置（１００）の階層化された表示部の１つには、その場で展示されていない商品情報があり、前記ＰＤＡ（４００）で画像認識させることにより、展示されていない商品情報を取得することを特徴とする請求項１から３のいずれかに記載の情報提供装置。
【請求項５】
前記情報提示装置（１００）の階層化された表示部の１つに、前記ＰＤＡ（４００）に蓄積されている商品情報の一覧表示が可能な情報があることを特徴とする請求項１から４のいずれかに記載の情報提供装置。
【請求項６】
前記情報提示装置（１００）の表示部の１つに、前記ＰＤＡ（４００）に提示されている表示と、前記情報提示装置（１００）に提示されている表示とを、反転させる情報があることを特徴とする請求項１から５のいずれかに記載の情報提供装置。
【発明の詳細な説明】
【０００１】
【発明の属する技術分野】
本発明は、画像認識技術を用いた情報提供装置に関し、特に情報提示装置に選択用の画像を提示し、ＰＤＡの画像認識部を用いて前記情報提示装置の画像を認識し、ネットワークとサーバを経由して操作を行うための情報提供に関する。
【０００２】
【従来の技術】
インターネットが一般に普及するようになってからは、多様な情報提供が考案されている。特に近年は、ＰＤＡを使って様々な場所に依存した情報を、通信網を介して取得可能な提案が増えている。
【０００３】
例えば特許文献１では、ＰＤＡを用いて製品に添付されたコード情報を読み取ることで、サーバが顧客管理を行うと同時に、ＰＤＡに商品情報を提示させたり、購入予約の指示操作が可能となる方法が提案されている。
【０００４】
また、特許文献２では、製品に付されたコード情報をＰＤＡに入力することで、コードに含まれた情報だけでなく、その情報に関連する情報を、通信網を通して知る方法が考案されている。
【０００５】
【特許文献１】特開２００２−１０９３０２号公報
【特許文献２】特開２００２−２４５３３４号公報
【０００６】
【発明が解決しようとする課題】
しかしながら、特許文献１のように通信網に接続されたＰＤＡを使い、バーコード等のコード情報を読み取り、その後に関連する情報を、通信網を経由して得る方法では、コードを認識する操作と、その後に通信網を介した操作の２種類の操作形式を強いられ、結果として操作が複雑化してしまう。
【０００７】
また、認識対象であるコード情報が紙等の静的な物体に印刷されているため、コードを認識させる操作手法だけでは、そのコードに割当てられた情報しか取得できなかった。
【０００８】
さらに、特許文献１では、誰もが閲覧可能な情報提示装置（接客端末）を操作する方法が記されているが、１人のユーザが情報提示装置を使っている間は、他の人が情報提示装置を使用することができなかった。
【０００９】
また、前記の発明では情報提示装置を使用しているときに、他人がその情報を容易に見ることができるため、プライバシーの問題があった。
【００１０】
特許文献２では、ＰＤＡの画像表示部に提示された情報は、携帯性を重視したＰＤＡの特性上、大きく情報を提示することができず、迫力のある情報を提供することができなかった。
【００１１】
商品を販売する店舗以外の場所で商品検討するときの資料として、カタログやインターネットを使った商品検討方法があったが、自分が店舗で気になった商品の詳細情報や関連情報を、すぐに閲覧することはできなかった。
【００１２】
店舗で、有形の展示されていない商品を、設置型の専用端末を用いて仮想提示する方法はあったが、専用端末の設備費用の問題から、小規模の店舗では実現が難しかった。さらに、特許文献２の場合も、展示されていない商品を提示する方法が記載されているが、異なる２種類の操作形式を用いるため、操作が面倒で複雑だった。
【００１３】
また、店頭での商品検討は、展示された商品だけでなく、カタログや店舗に掲示されたポスターを利用して商品比較の参考にしていたが、お客が気になった商品だけをその場で詳細に比較させることはできなかった。
【００１４】
パソコン販売店や商品パソコンを展示する場において、専用の商品情報提示装置を設置するには、専用端末を製作するコスト、及び設置する場所の問題があった。
【００１５】
本発明は、以上のような課題に対処するもので、紙等に認識対象を印刷せず、単純な操作形式を用いることで、単一の情報だけには捕らわれない閲覧が可能となり、誰もが閲覧可能な情報提示装置を複数人が同時に使用することができ、人の視線を気にせず、迫力のある情報を閲覧でき、展示されていない商品を仮想的に閲覧すること、及び詳細な商品比較を可能とし、特にパソコン販売店ではコストをかけずに情報提供することを目的とする。
【００１６】
【課題を解決するための手段】
この課題を解決するために、本発明の請求項１に記載の情報提供装置は、サーバ機能に相当する部分と一体的に接続されたまたは電気通信接続された情報提示装置と、前記サーバ機能に相当する部分にネットワークを介して電気通信接続された少なくとも１個のＰＤＡとからなる情報提示装置であって、前記サーバ機能に相当する部分には階層化された１以上の情報が蓄積され、かつ、前記情報提示装置の表示部には前記階層化された情報に対応する階層式の表示部を複数有し、前記ＰＤＡの画像認識部を前記情報提示装置の階層式の表示部の何れかに向けて画像認識させることにより、前記サーバ機能に相当する部分から、前記画像認識の結果に対応する情報を前記ＰＤＡおよび前記情報提示装置に表示させ、前記階層式の表示部の画像認識を繰返すことにより逐次下位層の情報を取得することを特徴とする。
【００１７】
この構成により、ＰＤＡを用いて情報提示装置に提示された様々な情報を、容易で単一の操作方法で取得することができる。
【００１８】
また、請求項２に記載された発明は、前記ＰＤＡの複数個から前記情報提示装置の階層式の表示部の何れかに向けて同時間帯に画像認識させたときには、前記サーバ機能に相当する部分が、前記情報提示装置の表示部に向けられている前記ＰＤＡの総数を検出し、前記情報提示装置の前記表示部を前記ＰＤＡの数だけ分割表示することを特徴とする。
【００１９】
この構成により、ＰＤＡを携帯する複数人が情報提示装置を同時に使用することができる。
【００２０】
また、請求項３に記載された発明は、前記情報提示装置が、店舗に展示されているパソコンのディスプレイであることを特徴とする。
【００２１】
この構成により、パソコン販売店で設備投資をあまり必要とせずに商品情報を詳細まで提示することができる。
【００２２】
また、請求項４に記載された発明は、商品を販売する店舗、及び商品を展示する場において、前記情報提示装置の階層化された表示部の１つには、その場で展示されていない商品情報があり、前記ＰＤＡで画像認識させることにより、展示されていない商品情報を取得することを特徴とする。
【００２３】
この構成により、展示されていない商品を単一の操作形式で容易に閲覧することができる。
【００２４】
また、請求項５に記載された発明は、前記情報提示装置の階層化された表示部の１つに、前記ＰＤＡに蓄積されている商品情報の一覧表示が可能な情報があることを特徴とする。
【００２５】
この構成により、お客が気になった商品だけをその場で詳細に比較することができる。
【００２６】
また、請求項６に記載された発明は、前記情報提示装置の表示部の１つに、前記ＰＤＡに提示されている表示と、前記情報提示装置に提示されている表示とを、反転させる情報があることを特徴とする。
【００２７】
この構成により、ユーザの希望によって、閲覧している情報を容易に覗き見られることを防ぐことができ、ユーザの希望によっては情報を迫力ある画面サイズで閲覧することができる。
【００２８】
【発明の実施の形態】
以下、発明の実施の形態について図面を参照して詳細に説明する。
【００２９】
図１は、本発明の実施の形態における情報提供を行う場合のシステム構成図である。
【００３０】
図２は、パソコン販売店における本発明の実施の形態として、商品情報を得る場合の情報取得による情報伝達のシーケンスを示す図である。
【００３１】
図３は、パソコン販売店における本発明の実施の形態の情報階層図である。
【００３２】
図１において、情報提示装置１００は、パソコン販売店に展示されているパソコンのディスプレイである。
【００３３】
しかし、情報提示装置１００はパソコン販売店だけでなく、街路及び建築物内で、近くに位置する誰もが表示部１０１をよく見える位置に配備されている情報ディスプレイでも良く、そこに提示する情報は商品情報に限らなくても良い。
【００３４】
情報提示装置１００は、表示部１０１と、送受信部１０２から構成される。情報提示装置１００は、送受信部１０２からサーバ機能に相当する部分２００の送受信部２０１及び制御部２０２を経由してネットワーク３００を介し、携帯電話や情報携帯端末等のＰＤＡ４００の送受信部４０２と通信接続することができる。
【００３５】
サーバ機能に相当する部分２００は、情報提示装置１００に一体化された場合でも良い。
【００３６】
ネットワーク３００は、ＰＤＡ４００から無線によって通信接続される電話網であっても、Ｌａｎによるものでも、携帯電話において、ｉモードが行われるインターネットでも良い。
【００３７】
図１において、情報提示装置１００は１台しか描かれていながいが、近接して複数台が配置されても良いし、店舗等では商品ごとに配置されていても良い。
【００３８】
ＰＤＡ４００は、一般に情報携帯端末であり、制御部４０１、送受信部４０２、表示部４０３、画像認識部４０４、メモリ４０５、方向測定部４０６から構成される。
【００３９】
画像認識部４０４は、一般にカメラのレンズであり、方向測定部４０６は必ずしも装備しなければならないものではない。送受信部４０２は無線によってネットワーク３００と通信接続し、インターネット接続制御を行う。
【００４０】
ＰＤＡ４００は情報提示装置１００と同様に、１台しか描かれていないが、実際には街路や店舗等で情報を得ようとする人たちが携帯する複数のＰＤＡ４００があるものとする。
【００４１】
図２において、ＰＤＡ４００を携帯したユーザが、情報提示装置１００に提示された情報に関心があって、それに関わる情報を得ようとする場合の処理を説明する。
【００４２】
図２のａ１からａ８では、ユーザがＰＤＡ４００を用いて情報提示装置１００から非展示パソコンの情報を選んで情報を得る場合の処理のやりとりを示している。
【００４３】
ユーザが誰も情報提示装置１００にアクセスしていない時は、情報提示装置１００の表示部１０１は、展示されているパソコンの、通常のデスクトップ画面を表示し、その一部には、パソコン関連商品の情報閲覧を可能とさせる認識用選択画像が提示され、図４の状態になっている（Ｓ０）。
【００４４】
ＰＤＡ  ４００を携帯するユーザが、情報提示装置１００に提示されているパソコン関連商品の情報閲覧をしたい場合には、ユーザはまず、画像認識部４０４を起動させ、画像認識部４０４が、現在どこを映しているのかを示す映像が表示部４０３に提示される。
【００４５】
ユーザが表示部４０３に提示されている画像認識部４０４の映像を見ながら、画像認識部４０４を、情報提示装置１００に提示されている最上位階層の認識用選択画像に向けることで（図５）、その認識用選択画像が画像認識部４０４から制御部４０１を介してメモリ４０５に蓄積され、そのデータが制御部４０１及び送受信部４０２を介してネットワーク３００に送信される（ａ１）。
【００４６】
サーバ機能に相当する部分２００が、情報提示装置１００に表示する次階層の選択用データを、メモリ２０３から制御部２０２及び送受信部２０１を介して情報提示装置の送受信部１０２に送信することで、表示部１０１にそのパソコン情報等の次の選択用画像が表示される（ａ２及び図６）。
【００４７】
ユーザが、表示部１０１に提示されている次の選択用画像を見て、その店舗に展示されていないパソコン、非展示パソコン情報を見たいとする。
【００４８】
ユーザは、携帯するＰＤＡ４００の画像認識部４０４を、表示部４０３に提示されている画像認識部４０４の映像を見ながら、非展示パソコンの認識用選択画像に向ける。
【００４９】
このことで選択された画像は、画像認識部４０４から制御部４０１を介してメモリ４０５に蓄積され、そのデータが制御部４０１及び送受信部４０２を介してネットワーク３００に送信される（ａ３）。
【００５０】
サーバ機能に相当する部分２００が、情報提示装置１００に表示する非展示パソコンの一覧データを、メモリ２０３から制御部２０２及び送受信部２０１を介して情報提示装置の送受信部１０２に送信することで、表示部１０１に非展示パソコンの一覧と、各認識用選択画像が表示される（ａ４及び図７）。
【００５１】
ＰＤＡ４００を携帯するユーザが、凸凹ＰＣの情報を知りたい場合、その認識用画像を、同様の方法で選択し、サーバ機能に相当する部分２００へ凸凹ＰＣの選択画像データを送信する（ａ５）。
【００５２】
次に、サーバ機能に相当する部分２００は、凸凹ＰＣの商品特徴と、その商品仕様の選択用認識画像を情報提示装置１００に送信し、表示部１０１にその情報が提示される（ａ６）。
【００５３】
ＰＤＡ４００を携帯するユーザが、凸凹ＰＣの商品特徴に対応する認識用選択画像を選択した場合、そのデータがサーバ機能に相当する部分２００に送信される（ａ７）。
【００５４】
サーバ機能に相当する部分２００は、先のデータを照合し、凸凹ＰＣの特徴データをＰＤＡ４００に送信し、その表示部４０３に凸凹ＰＣの特徴情報を提示させる（ａ８及び図８）。
【００５５】
この一連の操作を繰返すことで、パソコン販売店におけるユーザは、情報提示装置１００に提示されたパソコン関連商品情報を、１つの簡単な操作形式によって、ＰＤＡ４００を利用して選択しながら詳細な情報閲覧をすることができる。
【００５６】
また、パソコン販売店で展示されていない商品を閲覧する場合、一つのパソコンに多数の展示されていない商品を提示しようとすると、ユーザは多数の商品から特定の商品を探し出す苦労を強いられてしまう。そこで、パソコンｇを使用して閲覧できる展示されていない商品を、パソコンｇを製造するメーカＧに限定することで、ユーザが特定の商品を探し出す苦労を削減できる。そして、それ以外のメーカの展示されていない商品を閲覧したい場合は、そのメーカの展示されているパソコンを使用することで、使い勝手だけでなく、多くの商品情報を取得することが可能となる。
【００５７】
また、ＰＤＡ４００を用いて閲覧した商品情報は、メモリ４０５に蓄積させることもできる。
【００５８】
また、情報提示装置１００の表示部１０１に提示された認識用選択画像を、ＰＤＡ４００の画像認識部４０４を用いて選択するとき、選択を決定する方法は、選択用画像を一定時間認識させる方法や、選択ボタンを押すことで選択決定させて画像認識しても良い。
【００５９】
また、この一連の画像選択操作は、ＰＤＡ４００の画像認識部４０４が映し出している映像を、表示部４０３を見ながら選択しているが、これ以外に、ＰＤＡ４００にレーザポインタ装置を付し、画像認識部４０４と同じ方向を向いているレーザポインタが照射する場所を手がかりにして画像を選択しても良い。
【００６０】
また、この一連の画像選択操作は、方向測定部４０６を用いて、情報提示装置１００の表示部１０１上の画像の空間座標と、ＰＤＡ４００の画像認識部４０４の空間座標と角度から、画像認識部の延長線上が、どこを指しているかを示すカーソルに相当するものを表示部１０１に提示することで画像選択の手がかりにして、画像を選択しても良い。
【００６１】
また、情報提示装置１００に誰もアクセスしていない状態が、一定時間続いた場合、表示部１０１はＳ０の状態に戻る。
【００６２】
ここまでに説明した本発明の実施の形態では、１台のＰＤＡ４００が情報提示装置１００を使用して情報閲覧していたが、次に、複数台のＰＤＡ４００が情報を閲覧する場合に関して説明する。
【００６３】
ＰＤＡ４００を携帯するユーザａだけでなく、ユーザｂが情報提示装置１００の選択用認識画像を選択して、情報を閲覧しようとする場合、選択した画像データが、サーバ機能に相当する部分２００の制御部２０２に送信される（ｂ１）。
【００６４】
制御部２０２は、そのデータをメモリ２０３から照合し、先の選択データに対応したデータを、ユーザｂのＰＤＡ４００に送信し、表示部４０３にそのデータが表示される（ｂ２）。
【００６５】
その直後に、サーバ機能に相当する部分２００の制御部２０２が、情報提示装置にアクセスしているＰＤＡ４００の総数を割出し、情報提示装置１００に対して、表示部１０１を総数の数だけ分割表示するデータを、メモリ２０３から表示部１０１に送信し、表示部１０１を総数の数だけ分割表示するデータを、メモリ２０３から表示部１０１に送信し、表示部１０１の画面をユーザａの選択用次階層の画像、及びユーザｂの選択用次階層の画像に分割表示させる（ｂ３及び図９）。
【００６６】
このことで、複数のユーザが１つの情報提示装置１００にアクセスし、情報閲覧を可能とさせる。
【００６７】
また、ユーザが閲覧している情報を、ＰＤＡ４００の比較的小さな表示部４０３ではなく、大きな画面で見たい場合、もしくは閲覧している情報の詳細を、他人に知られたくない場合に関して説明する。
【００６８】
ユーザが誰も情報提示装置１００にアクセスしていない状態、及び基本的な情報閲覧操作方法はここまでと同じだが、ユーザが情報提示装置１００にアクセスして種々の情報を閲覧している時に、そのユーザがＰＤＡ４００の小さな表示部４０３よりも大きな画面で情報を閲覧したいと感じた場合、情報提示装置１００の表示部１０１に提示されている選択用画像の１つ、反転用の選択画像を認識させることで、画像認識部４０４から制御部４０１、ネットワーク３００を介してサーバ機能に相当する部分２００の送受信部２０１に反転用選択データが送られる（ｃ１）。
【００６９】
サーバ機能に相当する部分２００の送受信部２０１から反転用選択データが送られた制御部２０２は、メモリ２０３から、反転用選択画像を認識させる前にＰＤＡ  ４００に送信していたデータを取り出し、送受信部２０１及び１０２を介して情報提示装置１００の表示部１０１に提示する（ｃ２）。
【００７０】
その直後に、サーバ機能に相当する部分２００の制御部２０２は、メモリ２０３から、反転用選択画像を認識させる前に情報提示装置１００に送信していたデータを取り出し、送受信部２０１及びネットワーク３００を介してＰＤＡ４００の送受信部４０２へ送信し、制御部４０１を介して表示部４０３に提示させる（ｃ３及び図１０）。
【００７１】
このことで、ユーザは大きな画面を用いて詳細情報を閲覧することができる。
【００７２】
なお、上で述べた反転表示を戻す場合は、一定時間が経過したら必ず戻る方法でも、もしくは反転表示を元に戻すための選択用画像を情報提示装置１００に提示する方法でも良い。
【００７３】
また、他人に閲覧している情報の詳細を知られたくない場合は、この反対の操作を行うことによって、ＰＤＡ４００に詳細情報が提示され、他人に容易に閲覧情報を見られることを防ぐことが可能となる。
【００７４】
次に、ユーザが携帯するＰＤＡ４００には、閲覧してきた商品情報がメモリ４０５に蓄積されていることを前提として、ユーザが複数の商品を比較する場合について説明する。
【００７５】
ＰＤＡ４００を携帯するユーザが店舗で商品検討しており、複数の商品を詳細に比較したいと感じた場合、情報提示装置１００の表示部１０１に提示されている、商品比較用の選択用認識画像を、ＰＤＡ４００の画像認識部４０４を用いて選択すると、制御部４０１を介してメモリ４０５に蓄積されている商品データが送受信部４０２、ネットワーク３００を介してサーバ機能に相当する部分２００に送信される（ｄ１）。
【００７６】
送受信部２０１を介して送信された、先の商品データは制御部２０２に送られ、メモリ２０３から対応する商品データの比較表を、送受信部２０１、１０２を介して情報提示装置１００の表示部１０１に提示させる（ｄ２）。
【００７７】
このことで、ユーザは詳細な商品比較を行うことができる。なお、商品の比較表は、ＰＤＡ４００の表示部４０３に提示させても良い。
【００７８】
以上のようにして本発明を実施するが、ここに記載した実施形態がすべてではない。また、ユーザの操作のために用いる画像認識対象は、絵や写真、文字だけでなく、バーコード等のコード情報でも良い。
【００７９】
【発明の効果】
以上説明したように、本発明による情報提供では、ＰＤＡを用いて情報提示装置に表示された画像を認識することを選択操作手段としている。ユーザはＰＤＡを用いてあれ、これといった指示動作を行うだけで、簡単で単一の操作手法を実現でき、様々な情報を取得することができる。
【００８０】
また本発明では、誰もが利用可能な設置型の情報提示装置の表示方法を、その場でＰＤＡを利用するユーザの数だけ分割表示している。このことで、ＰＤＡを携帯する複数人が、情報提示装置を同時に使用することができる。
【００８１】
また、ＰＤＡに詳細な情報を提示し、情報提示装置には選択用の情報のみを表示させることで、ユーザは閲覧している情報を容易に覗き見られることを防ぐことができる。ユーザの希望によっては、ＰＤＡに表示されている詳細情報を情報提示装置に表示させることで、情報を迫力ある画面サイズで閲覧することができる。
【００８２】
また、商品販売店舗においては、展示されている商品だけでなく、ユーザはＰＤＡと情報提示装置を利用して、展示されていない商品を、単一の操作形式で容易に閲覧することができる。
【００８３】
また、店舗において、ユーザが気になった商品だけを、その場で詳細に比較することができ、お客の商品検討を支援することができる。
【００８４】
パソコン販売店においては、展示されているパソコンのディスプレイを情報提示装置の代わりに用いることで、展示するための設備投資を大幅に削減させ、同時に商品の詳細情報までも提示することができる。
【図面の簡単な説明】
【図１】本発明の実施の形態における情報提供を行う場合のシステム構成図。
【図２】パソコン販売店における本発明の実施の形態として、商品情報を得る場合の情報取得による情報伝達のシーケンス図。
【図３】パソコン販売店における本発明の実施の形態の情報階層図。
【図４】誰も情報提示装置にアクセスしていない状態の表示部１０１。
【図５】ＰＤＡ４００を使って画像を選択する時の表示部４０３。
【図６】ＰＤＡ４００を使って最上位階層の画像を選択した時の情報提示装置の表示部１０１。
【図７】ＰＤＡ４００を使って第２階層の非展示パソコン画像を選択した時の情報提示装置の表示部１０１。
【図８】ＰＤＡ４００の表示部４０３に非展示パソコンの特徴情報を表示させた図。
【図９】情報提示装置１００の表示部１０１を分割表示した図。
【図１０】ＰＤＡ４００の表示と情報提示装置１００の表示を入れ替える場合の図。
【符号の説明】
１００  情報提示装置
１０１  表示部
１０２  送受信部
２００  サーバ機能に相当する部分
２０１  送受信部
２０２  制御部
２０３  メモリ
３００  ネットワーク
４００  ＰＤＡ
４０１  制御部
４０２  送受信部
４０３  表示部
４０４  画像認識部
４０５  メモリ
４０６  方向測定部
【図１】
2004259241.tif 000003
【図２】
2004259241.tif 000004
【図３】
2004259241.tif 000005
【図４】
2004259241.tif 000006
【図５】
2004259241.tif 000007
【図６】
2004259241.tif 000008
【図７】
2004259241.tif 000009
【図８】
2004259241.tif 000010
【図９】
2004259241.tif 000011
【図１０】
2004259241.tif 000012